(57)【要約】【課題】個人差のある眼幅に対し、調節が出来るようにする。【決定手段】ポジフイルム２枚を使った立体写真を鑑賞する際、ステレオビュアーを蝶番式に、スライドマウントを可動式にするこで、個人差のある眼幅、輻輳角の調整を可能にする。  また、可動部のフリクション機構により不意に可動しないようにする。  マウントフイルムの出来不出来を見る際の脱着の煩雑をなくすために、ステレオマウントの上部を取り除くことで、利便性をました。【選択図】    図１４
0003101507.tif 000002
【実用新案登録請求の範囲】
【請求項１】
フイルムマウントを２枚使って、立体写真をステレオビュアー１（図１）で鑑賞する際に、鑑賞者自身の眼幅と輻輳角の調整の出来る道具、図２。
【請求項２】
また、同時に可動部である蝶番８を使った、フリクションの調整が自由に出来る部分、図３，４。
【請求項３】
ステレオビュアーに装着するステレオマウントは３種類あり、いずれもステレオマウントの中心が可動する、タイプ１として、軟式のプラスチック素材で制作することにより、中央部がフレシキブルに可動する道具（ステレオマウント１６）図５，７。
【請求項４】
タイプ２として、ステレオマウントの中央部を伸縮可能なように、ジョイントすることによって、ステレオビュアーの開閉に合わせた動きをする道具（ステレオマウント１９）図８，１０。
【請求項５】
タイプ３として、ステレオマウントの上部を開けたもので、フイルムマウントを左右それぞれに入れて、ポジフイルムの出来不出来を確認する際に、容易に出し入れの出来る道具（マウントホルダー２４）図１１，１３で、以上のように左右のフイルムマウントをステレオマウントで、一体化することにより、ステレオビュアー本体との可動が同時に行え、左右のフイルムマウントの入れ間違いや、双方の上下左右のズレを防ぐとともに、フイルムマウントの脱着の際の散逸を防ぎ、保管管理のしやすい道具、図６，９，１１。
【考案の詳細な説明】
【０００１】
【考案が解決しようとする課題】
従来、立体写真を鑑賞する道具であるビュアーはあったが、正確な眼幅調整は必要条件にも関わらず、レンズ間隔の幅は人間の平均眼幅である６５ｍｍに固定されていた。
【０００２】
しかも、眼幅には個人差があり、眼幅固定式の機種では、個人個人の眼幅差に対応した、正しい立体視効果は期待できない、という問題点を有していた。
【０００３】
従来のフイルムマウントで、２枚型マウントはあったが、眼幅調整を考慮した設計ではなく、ただ２枚のフイルムマウントを納める物、従来からあるポジフイルム用マウント２枚相互に張り合わせるといった、あくまでも簡易的な方法であった、したがってそれらを使っても、マウント自体に機構を設けないために、調節が上手くできなく、眼幅調整と輻輳角が得られない、という問題点を有していた。
【０００４】
また、ステレオマウントを使い、立体写真の出来不出来を調べる際に、ステレオマウントからの出し入れの煩雑さを伴うという、問題を有していた。
【０００５】
【課題を解決するための手段】
上記目的、請求項１の眼幅調整の問題を達成するために、左右鏡筒の中心部を軸に、可動式にすることにより、左右のレンズ間隔は自由に変わり、同時に輻輳角も得られるようにし、立体写真をより良好な状態で鑑賞するようにした。
【０００６】
また、鑑賞中に輻輳角が同時に得られることにより、従来のステレオビュアーよりも、目の負担を軽減している。
【０００７】
上記目的、請求項２の機構の問題を達成するために、観察中に眼幅調整巾が、不意に変動しないよう、可動軸と軸受けの間に、フリクション調節のため、ネジとスプリングを設け、そのネジ調節によって軸回転の堅さを調節出来るようにした。
【０００８】
また、蝶番の間の箇所に凹１４凸１５を付けることで、より一層のフリクション調節が、向上する図４。
【０００９】
上記目的、請求項３のステレオマウントの問題を達成するために、ステレオマウントの中央を可動式にすることで、ステレオビュアーとステレオマウントの、可動が一体化し、問題であった眼幅調整と輻輳角も得られ、調節出来るようにした。
【００１０】
また、ステレオマウントにフイルムマウントを装着することで、左右フイルムマウントの入れ間違い、双方の上下左右のフイルムのズレを、防ぐとともに、フイルムマウントの散逸を防ぎ、保管管理を容易に出来るようにした。
【００１１】
上記目的、請求項５である立体写真の出来不出来を見るだけの際に、起こる問題に対して、ステレオマウントの上部部分を取り除き、上部からスライドマウントの出し入れを可能にすることで、ステレオマウントからスライドマウントの脱着の煩雑を省き、ステレオビュアー本体内にステレオマウントを挿入した状態で、スライドマウントの出し入れを容易にし、マウントアダプターとレて使用した。
【００１２】
【考案の効果】
考案したステレオビュアーを使うことで、必要条件である、個人個人の眼幅と輻輳角を容易に調整し、鑑賞時の目の負担も少なく立体写真の鑑賞ができる。
【００１３】
また、不意に起こるステレオビュアーの、軸回転のズレも、フリクション調節により解消され、ストレスの少ない立体写真の鑑賞ができる。
【００１４】
考案した、２種類のステレオマウントを使うことで、左右２枚１組あらかじめ、このステレオマウントに収納される。
【００１５】
これによって、ステレオビュアーとステレオマウントの、可動が一体化することで、眼幅差と輻輳角の調整を、容易に出来るようになる。
【００１６】
また、請求項３ステレオマウントの可動部には、柔軟なプラスチック等を使用し薄くすることで、可動時におこる伸縮に対応し、ステレオビュアーとの一体感が生まれる。図５，７
【００１７】
また、請求項４ステレオマウントではジョイントを設けたことにより、中心を軸に伸縮するようになり、ステレオビュアーを可動する際にかかる、伸縮の力に対応し、ステレオビュアーとの一体感が生まれる。図８，１０
【００１８】
請求項５のマウントアダプターを使うことで、立体写真の出来不出来を見るだだけの際に、ステレオビュアー本体内にステレオマウントを挿入したままの状態で、上部からの、スライドマウントの出し入れを容易にし利便性大である。
【００１９】
また、ステレオマウントを使用することで、左右別々に、本体の挿入への煩雑さを避けると同時に、左右フイルムの入れ間違いや、上下左右フイルムの位置のズレを防ぎ、その保管管理にも利便性大である。図６，９
【図面の簡単な説明】
【図１】
ステレオビュアー本体の展開図である。
【図２】
ステレオビュアー本体の可動図である。
【図３】
蝶番の説明図である。
【図４】
蝶番の断面の説明図である。
【図５】
ステレオマウント（タイプ１）の展開図である。
【図６】
ステレオマウント（タイプ１）の収納図である。
【図７】
ステレオマウント（タイプ１）の可動図である。
【図８】
ステレオマウント（タイプ２）の展開図である。
【図９】
ステレオマウント（タイプ２）の収納図である。
【図１０】
ステレオマウント（タイプ２）の可動図である。
【図１１】
マウントアダプター（タイプ３）の展開図である。
【図１２】
マウントアダプター（タイプ３）の脱着図である。
【図１３】
マウントアダプター（タイプ３）の可動図である。
【図１４】
ステレオビュアー及び各ステレオマウントの説明図である。
【符号の説明】
１  ステレオビュアー
２  ステレオビュアー上面
３  ステレオビュアー横面（右側）
４  レンズカバー
５  レンズ
６  鏡筒
７  散光板
８  蝶番
９  ステレオマウント（タイプ１）上部
１０  ネジ
１１  ワッシャー
１２  スプリング
１３  ナット
１４  フリクション凹
１５  フリクション凸
１６  ステレオマウント（タイプ１）
１７  ステレオマウント（タイプ１）側面（右側）
１８  フイルムマウント（ポジフイルム）
１９  ステレオマウント（タイプ２）
２０  ステレオマウント（タイプ２）上面
２１  ステレオマウント（タイプ２）側面（左右）
２２  止め具  雄
２３  止め具  雌
２４  マウントアダプター（タイプ３）
２５  マウントアダプター（タイプ３）上面
２６  マウントアダプター（タイプ３）側面（右側）
【図１】
0003101507.tif 000003
【図２】
0003101507.tif 000004
【図３】
0003101507.tif 000005
【図４】
0003101507.tif 000006
【図５】
0003101507.tif 000007
【図６】
0003101507.tif 000008
【図７】
0003101507.tif 000009
【図８】
0003101507.tif 000010
【図９】
0003101507.tif 000011
【図１０】
0003101507.tif 000012
【図１１】
0003101507.tif 000013
【図１２】
0003101507.tif 000014
【図１３】
0003101507.tif 000015
【図１４】
0003101507.tif 000016
【手続補正書】
【提出日】平成15年7月30日(2003.7.30)
【手続補正１】
【補正対象書類名】明細書
【補正対象項目名】全文
【補正方法】変更
【補正の内容】
【実用新案登録請求の範囲】
【請求項１】あらかじめ左右の視差を持って撮影された２枚のフイルムを挿着し立体写真
を鑑賞するステレオビュアー１において、左右独立した鏡筒を持ち互いに接する外面を、
蝶番により連結し開閉させることで、接眼レンズ間の距離が変わり、個人差のある眼幅調
整を容易にさせた道具。
【請求項２】請求項１の蝶番３部分に弾性体や留具を組み入れることで、一度合わせた眼
幅が容易に変わらず、常に鑑賞者の合わせた眼幅で鑑賞ができる道具。
【請求項３】接眼部分を拡げることにより眼幅が広がるだけではなく左右の視線が中央へ
と向き、同時に輻輳角も得られ長時間の鑑賞に対しても疲労感が軽減される道具。
【請求項４】挿入されるステレオマウント２はステレオビュアー１の開閉の動きに対応で
きるよう軟性素材を利用することでステレオビュアー１の動きに合わせられ、眼幅調整と
輻輳角を得られる道具。
【考案の詳細な説明】
【０００１】
【従来の技術】
従来のステレオビュアーは、接眼部の眼幅が固定で小児や顔面の大きい人ではステレオ
効果が充分得られなかった。
【０００２】
特に球面レンズの場合、レンズ中央から見たのと、左右レンズの外側の端から覗いたの
では、そのステレオ効果やひずみに大きな差が出ていた。
【０００３】
【考案が解決しようとする課題】
従来、立体写真を鑑賞する道具であるビュアーはあったが、正確な眼幅調整は必要条件
にも関わらず、レンズ間隔は人間の平均眼幅である約６５ｍｍに固定されていた。
【０００４】
しかも眼幅には個人差があり、眼幅固定式の機種では個人個人の眼幅差に対応した、正
しい立体視効果は期待できないという問題点を有していた。
【０００５】
従来のフイルムマウントで、ステレオ用の２枚型マウントはあったが、眼幅調整を考慮
した設計ではなく、ただ２枚のフイルムマウントを納める物、または従来からあるフイル
ム用マウント２枚を相互に張り合わせるといった、あくまでも簡易的な方法であった。
【０００６】
したがってそれらを使っても、鑑賞時に不可欠な眼幅調整と輻輳角が得られないという
問題点を有していた。
【０００７】
【課題を解決する手段】
上記課題の問題を達成するために、左右鏡筒を蝶番で可動させることにより、左右のレ
ンズ間隔は自由に変わり、同時に輻輳角も得られるようになり、立体写真をより良好な状
態で鑑賞出来るようにした。
【０００８】
上記課題の問題を達成するために、鑑賞中にレンズ間隔が不意に動かないよう蝶番の可
動軸と軸受けの間に、フリクション調節のため、弾性体や留具を設けその調節によって軸
回転の堅さを調節出来るようにした。
【０００９】
また、蝶番と蝶番の噛合せの箇所に凹凸を付けることで、より一層のフリクション効果
が、向上する。
【００１０】
上記課題の問題を達成するために、ステレオマウントに軟性素材を利用することにより
、ステレオビュアーとステレオマウントの動きに一体感が生まれ、課題であった眼幅調整
と輻輳角も得られ、調節可能にした。
【００１１】
【考案の効果】
考案したステレオビュアーを使うことで、必要条件である、個人個人の眼幅輻輳角を容
易に調整し、最も自然に近い視線によって立体写真の鑑賞が出来る。
【００１２】
また、従来１枚１枚見るたびに両手で拡げてたビュアーもフリクション効果により解消
され、スタンド上に立てたり、片手で持って見るなどストレスの少ない立体写真の鑑賞が
できる。
【００１３】
また、ステレオマウント可動部には、軟性素材を使用し薄くすることで、可動時におけ
る伸縮の動きにも対応し、円滑な観賞が実現できる。
【図面の簡単な説明】
【図１】ステレオビュアー正面図である。
【図２】ステレオマウント正面図である。
【図３】ステレオビュアー上面図である。
【図４】ステレオビュアー上面可動図である。
【図５】蝶番断面図である。
【図６】ステレオビュアー横断面図である。
【図７】ステレオビュアー、ステレオマウント装着図である。
【符号の説明】
１  ステレオビュアー
２  ステレオマウント
３  蝶番
４  レンズ
５  散光板
６  フイルム
７  弾性体
８  留具
９  凹凸


【手続補正２】
【補正対象書類名】図面
【補正対象項目名】全図
【補正方法】変更
【補正の内容】
【図１】
0003101507.tif 000017
【図２】
0003101507.tif 000018
【図３】
0003101507.tif 000019
【図４】
0003101507.tif 000020
【図５】
0003101507.tif 000021
【図６】
0003101507.tif 000022
【図７】
0003101507.tif 000023
【手続補正書】
【提出日】平成15年12月4日(2003.12.4)
【手続補正１】
【補正対象書類名】明細書
【補正対象項目名】実用新案登録請求の範囲
【補正方法】変更
【補正の内容】
【実用新案登録請求の範囲】
【請求項１】
あらかじめ左右の視差を持って撮影された２枚のフイルムを挿着し立体写真を鑑賞するステレオビュアー１において、左右独立した鏡筒を持ち互いに接する外面を、弾性体や留具を組み入れた蝶番により連結し開閉させることで、接眼レンズ間の距離が変わり、個人差のある眼幅調整を容易にさせた道具。
【請求項２】
接眼部分を拡げることにより眼幅が広がるだけではなく左右の視線が中央へと向き、同時に輻輳角も得られ長時間の鑑賞に対しても疲労感が軽減されることを特徴とする請求項１記載の道具。
【請求項３】
挿入されるステレオマウント２はステレオビュアー１の開閉の動きに対応できるよう軟性素材を利用することでステレオビュアー１の動きに合わせられ、眼幅調整と輻輳角を得られることを特徴とする請求項１記載の道具。